(57)【要約】      （修正有）【課題】自然な膨らみが形成され、実物の外観に近い形態をなし、雅趣に富んだ内容物収納時に立体形態をなす包装体の製造方法を提供する。【解決手段】鯛の原図に基づいた原画データを作成し、原画データの画像を上下方向に拡張した拡張画像データを作成し、拡張画像データの画像を修正した修正画像データを作成し、修正画像データにおいて接着箇所１と不要な箇所を切除するための切離線２とを表示した完成画像データａ３を作成し、完成画像データにより形成される完成画像と完成画像データの線対称画像データにより形成される線対称画像とを合成樹脂シートに印刷して画像シートを作成し、画像シートを二つ折りにして完成画像と線対称画像とを重ね合わせた重ね合わせ画像シートを作成し、重ね合わせ画像シートにおける接着箇所１を接着して接着シートを作成し、接着シートにおける切離線２に沿って不要な箇所を切除して包装体を作成することを特徴とする。【選択図】図３
2019123544.tif 000002
【特許請求の範囲】
【請求項１】
原図に基づいて対象物の画像を描写した原画データを作成する工程と、
前記原画データに描写された画像を上下や左右の方向に特定長さ分だけ拡張した拡張画像データを作成する工程と、
前記拡張画像データに描写された画像を修正した修正画像データを作成する工程と、
前記修正画像データにおいて接着領域と不要な箇所を切除するための切離線とを表示した完成画像データを作成する工程と、
前記完成画像データにより形成される完成画像と、前記完成画像データの線対称画像データにより形成される線対称画像と、を合成樹脂シートに印刷して画像シートを作成する工程と、
前記画像シートを二つ折りにして完成画像と線対称画像とを重ね合わせた重ね合わせ画像シートを作成する工程と、
前記重ね合わせ画像シートにおける接着領域を接着して接着シートを作成する工程と、
前記接着シートにおける切離線に沿って不要な箇所を切除して包装体を作成する工程とからなる
ことを特徴とする内容物収納時に立体形態をなす包装体の製造方法。
【請求項２】
前記接着領域において、その一部を接着しない領域を設け、
非接着領域により内容物を収納可能とする
ことを特徴とする請求項１に記載の内容物収納時に立体形態をなす包装体の製造方法。
【発明の詳細な説明】
【技術分野】
【０００１】
本発明は、内容物を収納した状態で予定している対象物の立体形態をなす包装体の製造方法に関する。
【背景技術】
【０００２】
従来、対象物の形態を模した包装体として、型成形により作成された硬質の合成樹脂からなる中空の包装体からなる立体形態をなす包装体が知られている。
【発明の概要】
【発明が解決しようとする課題】
【０００３】
しかしながら、上記のような従来の包装体では、その外観が、微妙な膨らみ感などが欠如して実際の対象物の外観とは掛け離れており雅趣に乏しいものであった。
【０００４】
本発明は、上記の実情に鑑みてなされたものであり、自然な膨らみが形成され、実物の外観に近い形態をなし、雅趣に富んだ内容物収納時に立体形態をなす包装体の製造方法を提供することを目的とする。
【課題を解決するための手段】
【０００５】
本発明に係る内容物収納時に立体形態をなす包装体の製造方法は、原図に基づいて対象物の画像を描写した原画データを作成する工程と、前記原画データに描写された画像を上下や左右の方向に特定長さ分だけ拡張した拡張画像データを作成する工程と、前記拡張画像データに描写された画像を修正した修正画像データを作成する工程と、前記修正画像データにおいて接着領域と不要な箇所を切除するための切離線とを表示した完成画像データを作成する工程と、前記完成画像データにより形成される完成画像と、前記完成画像データの線対称画像データにより形成される線対称画像と、を合成樹脂シートに印刷して画像シートを作成する工程と、前記画像シートを二つ折りにして完成画像と線対称画像とを重ね合わせた重ね合わせ画像シートを作成する工程と、前記重ね合わせ画像シートにおける接着領域を接着して接着シートを作成する工程と、前記接着シートにおける切離線に沿って不要な箇所を切除して包装体を作成する工程とからなることを特徴とする。
【０００６】
なお、前記接着領域において、その一部を接着しない領域を設け、非接着領域により内容物を収納可能とするように構成する方が、包装体の使用上便利である。
【発明の効果】
【０００７】
上記のように本発明に係る内容物収納時に立体形態をなす包装体の製造方法は、自然な膨らみが形成され、実物の外観に近い形態をなし、雅趣に富んだ内容物収納時に立体形態をなす包装体を提供することができる。
【図面の簡単な説明】
【０００８】
【図１】実施例１に係る包装体を製造するための原画データの画像である。
【図２】実施例１に係る包装体を製造するための拡張画像データの画像である。
【図３】実施例１に係る包装体を製造するための修正画像データの画像である。
【図４】実施例１に係る包装体を製造するための完成画像と線対称画像とを合成樹脂シートに印刷した画像シートである。
【図５】実施例１に係る包装体である。
【図６】実施例２に係る包装体を製造するための原画データの画像である。
【図７】実施例２に係る包装体を製造するための拡張画像データの画像である。
【図８】実施例２に係る包装体を製造するための修正画像データの画像である。
【図９】実施例２に係る包装体を製造するための完成画像と線対称画像とを合成樹脂シートに印刷した画像シートである。
【図１０】実施例２に係る包装体である。
【発明を実施するための形態】
【０００９】
以下に本発明の実施例を添付の図面に基づいて説明する。
【実施例１】
【００１０】
図１〜図５は、本発明の実施例１を示し、実施例１は鯛の形態をなす包装体Ａを製造するものであり、まず写真等で描写された鯛の原図をコンピュータに取り込んで鯛の画像を描写した原画データａ１を作成する。図１は作成された原画データａ１である。この原画データａ１のままであると、この原画データａ１により包装体を作成して内容物を収納しても包装体が内容物により膨らむために全体的に細くなってしまい、本来の鯛の形態がくずれてしまうことになる。
【００１１】
そこで、内容物を収納しても本来の鯛の形態となるように、前記の膨らみ分を考慮して原画データａ１に描写された画像を上下の方向に拡張して拡張画像データを作成する。もちろん、対象物が変わればそれに応じて上下や左右の方向に拡張する。なお、拡張画像データの画像では不自然になってしまう部分もあり、また、元々の原図自体にも手を加えた方がより見栄えがするような部分もあり得るため、そのための修正をデータ上で行い、図２に示すように、修正画像データａ２を作成する。
【００１２】
次に包装体Ａを作成する準備として、図３に示すように、修正画像データａ２上において、周囲の接着箇所１をハッチングで表示し、さらに、周囲の余分で不要な箇所を切除するための切離線２を表示した完成画像データａ３を作成する。なお、ハッチングを入れていない符号３で示す箇所は非接着箇所であり、非接着箇所３により内容物を出し入れするための出入口が形成される。また、鯛の尾びれは比較的大きいためにその全体を接着すると扁平になって立体感がなくなるので、立体感を出すために細長円形の中空部を形成するための非接着箇所４を表示している。
【００１３】
上記のようにして作成された完成画像データａ３を元にし、完成画像データａ３の頭部と向かい合わせるようにして、完成画像データａ３に対する線対称画像データを作成し、これら各データを利用して、図４に示すように、合成樹脂シート５上に完成画像Ａ１及び線対称画像Ａ２を印刷して画像シートＡ３を作成する。
【００１４】
そして、上記のようにして作成された画像シートＡ３を、完成画像Ａ１と線対称画像Ａ２とが重ね合わさるように二つ折りにして重ね合わせ画像シートを作成し、上記の接着箇所１を接着して接着シートを形成し、次いで、切離線２に沿って不要な箇所を切除すると、図５に示す包装体Ａが完成する。
【００１５】
この包装体Ａに対して、前記の非接着箇所３からチョコレートやキャンディなどのお菓子その他の内容物を収納し、プレゼントとして使用すると受け取った人はびっくりすると共に包装体内にチョコレートなどが入っていることにさらにびっくりして喜ばせることができる。本実施例は鯛の形態をなす包装体であるため、包装体内に砂糖などを封入し、お祝い事などに使用しても面白みがあって趣向に富んたものとなる。
【実施例２】
【００１６】
図６〜図１０は、本発明の実施例２を示し、実施例２は鰹の形態をなす包装体Ｂを製造するものであり、まず写真等で描写された鰹の原図をコンピュータに取り込んで鰹の画像を描写した原画データｂ１を作成する。図６は作成された原画データｂ１である。この原画データｂ１のままであると、この原画データｂ１により包装体を作成して内容物を収納しても包装体が内容物により膨らむために全体的に細くなってしまい、本来の鰹の形態がくずれてしまうことになる。
【００１７】
そこで、内容物を収納しても本来の鰹の形態となるように、前記の膨らみ分を考慮して原画データｂ１に描写された画像を上下の方向に拡張して拡張画像データを作成する。もちろん、対象物が変わればそれに応じて上下や左右の方向に拡張する。なお、拡張画像データの画像では不自然になってしまう部分もあり、また、元々の原図自体にも手を加えた方がより見栄えがするような部分もあり得るため、そのための修正をデータ上で行い、図７に示すように、修正画像データｂ２を作成する。なお、鰹は腹幅や背幅が大きい魚であるため、原画データｂ１に比較して修正画像データｂ２は上下の拡張幅を大きく取っている。
【００１８】
次に包装体Ｂを作成する準備として、図８に示すように、修正画像データｂ２上において、周囲の接着箇所２１をハッチングで表示し、さらに、周囲の余分で不要な箇所を切除するための切離線２２を表示した完成画像データｂ３を作成する。なお、ハッチングを入れていない符号２３で示す箇所は非接着箇所であり、非接着箇所２３により内容物を出し入れするための出入口が形成される。
【００１９】
上記のようにして作成された完成画像データｂ３を元にし、完成画像データｂ３の頭部と向かい合わせるようにして、完成画像データｂ３に対する線対称画像データを作成し、これら各データを利用して、図９に示すように、合成樹脂シート２５上に完成画像Ｂ１及び線対称画像Ｂ２を印刷して画像シートＢ３を作成する。
【００２０】
そして、上記のようにして作成された画像シートＢ３を、完成画像Ｂ１と線対称画像Ｂ２とが重ね合わさるように二つ折りにして重ね合わせ画像シートを作成し、上記の接着箇所２１を接着して接着シートを形成し、切離線２２に沿って不要な箇所を切除すると、図１０に示す包装体Ｂが完成する。
【００２１】
この包装体Ｂに対して、前記の非接着箇所２３からチョコレートやキャンディなどのお菓子その他の内容物を収納し、プレゼントとして使用すると受け取った人はびっくりすると共に包装体内にチョコレートなどが入っていることにさらにびっくりして喜ばせることができる。
【００２２】
以上、本発明のいくつかの実施形態を説明したが、これら実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００２３】
Ａ………包装体
Ａ１……完成画像
Ａ２……線対称画像
Ａ３……画像シート
ａ１……原画データ
ａ２……修正画像データ
ａ３……完成画像データ
１………接着箇所
２………切離線
３………非接着箇所
４………非接着箇所
５………合成樹脂シート
Ｂ………包装体
Ｂ１……完成画像
Ｂ２……線対称画像
Ｂ３……画像シート
ｂ１……原画データ
ｂ２……修正画像データ
ｂ３……完成画像データ
２１……接着箇所
２２……切離線
２３……非接着箇所
２５……合成樹脂シート
【図１】
2019123544.tif 000003
【図２】
2019123544.tif 000004
【図３】
2019123544.tif 000005
【図４】
2019123544.tif 000006
【図５】
2019123544.tif 000007
【図６】
2019123544.tif 000008
【図７】
2019123544.tif 000009
【図８】
2019123544.tif 000010
【図９】
2019123544.tif 000011
【図１０】
2019123544.tif 000012